(57)【要約】【課題】さまざまな大きさのまな板に使用可能で、コンパクトにして収納が容易な、まな板用すべり止め具を提供する。【解決手段】各保持部材１１が、細長い保持板２１と側壁２２とゴム板２３と滑り止め材２４とを有する。保持板２１は、平坦な保持面２５を有する。側壁２２は、保持板２１の一方の側縁２１ｄに沿って、保持面２５から垂直に伸びるよう設けられている。ゴム板２３は、保持面２５に側壁２２の高さより低く貼り付けられている。滑り止め材２４は、保持面２５の反対面２６の保持板２１に設けられている。連結部材１２が、各保持部材１１の間隔を調節してまな板１を各保持部材１１の側壁２２の間に挟んで保持可能に、各保持部材１１を互いに連結している。【選択図】図１
0003111726.tif 000002
【実用新案登録請求の範囲】
【請求項１】
１対の保持部材と連結部材とを有し、
各保持部材は細長い保持板と側壁とゴム板と滑り止め材とを有し、前記保持板は平坦な保持面を有し、前記側壁は前記保持板の一方の側縁に沿って前記保持面から垂直に伸びるよう設けられ、前記ゴム板は前記保持面に前記側壁の高さより低く貼り付けられ、前記滑り止め材は前記保持面の反対面の前記保持板に設けられ、
前記連結部材は各保持部材の間隔を調節してまな板を各保持部材の前記側壁の間に挟んで保持可能に各保持部材を互いに連結していることを、
特徴とするまな板用すべり止め具。
【請求項２】
１対の調節部材を有し、
各調節部材は調節板と１対の第２滑り止め材とを有し、前記調節板は矩形状で、前記保持板と同じ厚さと幅と、前記保持板の幅の２倍の長さとを有し、平坦な載置面を有し、前記保持板の他方の側縁同士が向き合った各保持部材の互いに対角に位置する一方の端部に、前記載置面が前記保持面の長さ方向の延長面を形成するよう前記保持板の一端から前記保持板の他方の側縁側に前記保持板に対して垂直に張り出す位置と、前記載置面が前記保持板の他方の側縁側で前記保持面の幅方向の延長面を形成するよう前記保持板と平行に並ぶ位置との間で、前記載置面が前記保持面と同一平面内で回転するよう設けられ、各第２滑り止め材は前記載置面とその反対面の前記調節板とに設けられ、
前記連結部材は細長い板状で、前記保持板と同じ厚さと幅と、前記保持板の長さより前記調節板の幅の長さ分だけ短い長さとを有し、前記保持板の他方の側縁同士が向き合った各保持部材の互いに対角に位置する他方の端部同士を連結するよう、前記保持板の他方の縁部の、前記保持板の他端から前記調節板の幅の長さだけ中央寄りの位置に、各保持部材と同一平面内で回転可能に設けられていることを、
特徴とする請求項１記載のまな板用すべり止め具。
【考案の詳細な説明】
【技術分野】
【０００１】
本考案は、まな板用すべり止め具に関する。
【背景技術】
【０００２】
従来のまな板用のすべり止め具として、まな板の下に敷くすべり止めシートがある（例えば、特許文献１および２参照）。
【０００３】
【特許文献１】特開２００５−２１５６５号公報
【特許文献２】実開平６−３６５４５号公報
【考案の開示】
【考案が解決しようとする課題】
【０００４】
しかしながら、特許文献１および２記載のすべり止めシートは、まな板の大きさに合った大きさのものを準備しなければならず、大きさの合わないまな板には使いにくいという課題があった。また、面積が大きいため、かさばり、収納が困難であるという課題もあった。
【０００５】
本考案は、このような従来の課題に着目してなされたもので、さまざまな大きさのまな板に使用可能で、コンパクトにして収納が容易な、まな板用すべり止め具を提供することを目的とする。
【課題を解決するための手段】
【０００６】
上記目的を達成するために、本考案に係るまな板用すべり止め具は、１対の保持部材と連結部材とを有し、各保持部材は細長い保持板と側壁とゴム板と滑り止め材とを有し、前記保持板は平坦な保持面を有し、前記側壁は前記保持板の一方の側縁に沿って前記保持面から垂直に伸びるよう設けられ、前記ゴム板は前記保持面に前記側壁の高さより低く貼り付けられ、前記滑り止め材は前記保持面の反対面の前記保持板に設けられ、前記連結部材は各保持部材の間隔を調節してまな板を各保持部材の前記側壁の間に挟んで保持可能に各保持部材を互いに連結していることを、特徴とする。
【０００７】
本考案に係るまな板用すべり止め具は、以下のようにして使用される。まず、各保持部材の保持面を上にし、保持板の他方の側縁同士を向き合わせて、調理台などに置く。連結部材により各保持部材の間隔を調節して、まな板を各保持部材の側壁の間に挟む。このとき、まな板が保持面に貼り付けられたゴム板により支持されるため、まな板がすべるのを防ぐことができる。また、保持面の反対面に設けられた滑り止め材により、各保持部材が調理台などの上ですべるのを防ぐことができる。こうして、まな板をすべらないよう保持することができる。
【０００８】
連結部材により、まな板の大きさに合わせて各保持部材の間隔を調節することができ、さまざまな大きさのまな板に使用することができる。また、使用しないときには、各保持部材と連結部材とをまとめてコンパクトにし、収納を容易にすることができる。
なお、保持部材は、半分に折り曲げ可能であってもよい。この場合、よりコンパクトに小さくすることができる。また、本考案に係るまな板用すべり止め具は、オーダーメードで製造して、様々の寸法のものを作ることができる。
【０００９】
本考案に係るまな板用すべり止め具は、１対の調節部材を有し、各調節部材は調節板と１対の第２滑り止め材とを有し、前記調節板は矩形状で、前記保持板と同じ厚さと幅と、前記保持板の幅の２倍の長さとを有し、平坦な載置面を有し、前記保持板の他方の側縁同士が向き合った各保持部材の互いに対角に位置する一方の端部に、前記載置面が前記保持面の長さ方向の延長面を形成するよう前記保持板の一端から前記保持板の他方の側縁側に前記保持板に対して垂直に張り出す位置と、前記載置面が前記保持板の他方の側縁側で前記保持面の幅方向の延長面を形成するよう前記保持板と平行に並ぶ位置との間で、前記載置面が前記保持面と同一平面内で回転するよう設けられ、各第２滑り止め材は前記載置面とその反対面の前記調節板とに設けられ、前記連結部材は細長い板状で、前記保持板と同じ厚さと幅と、前記保持板の長さより前記調節板の幅の長さ分だけ短い長さとを有し、前記保持板の他方の側縁同士が向き合った各保持部材の互いに対角に位置する他方の端部同士を連結するよう、前記保持板の他方の縁部の、前記保持板の他端から前記調節板の幅の長さだけ中央寄りの位置に、各保持部材と同一平面内で回転可能に設けられていてもよい。
【００１０】
この各調節部材を有する構成では、まな板が大きいとき、各調節部材を、保持板の一端から保持板の他方の側縁側に保持板に対して垂直に張り出す位置に位置付けることにより、載置面が保持面の長さ方向の延長面を形成するため、載置面および保持面によりまな板を安定した状態で支持することができる。まな板が小さいときには、各調節部材を、保持板と平行に並ぶ位置に回転させて位置付けることにより、載置面が保持板の他方の側縁側で保持面の幅方向の延長面を形成し、調理時に邪魔にならないようまな板からはみ出すことなくまな板を支持することができる。各調節部材の載置面とその反対面の調節板とに設けられた各第２滑り止め材により、まな板および各調節部材がすべるのを防ぐことができる。
【００１１】
各保持部材に対して連結部材を各保持部材と同一平面内で回転させることにより、各保持部材の間隔を調節することができるため、さまざまな大きさのまな板に対応することができる。使用しないときには、各調節部材を、保持板の一端から保持板の他方の側縁側に保持板に対して垂直に張り出す位置に回転させて位置付け、各保持部材の間隔を狭めて各保持部材の間に連結部材を挟むことにより、コンパクトにして収納を容易にすることができる。
【考案の効果】
【００１２】
本考案によれば、さまざまな大きさのまな板に使用可能で、コンパクトにして収納が容易な、まな板用すべり止め具を提供することができる。
【考案を実施するための最良の形態】
【００１３】
以下、図面に基づき本考案の実施の形態について説明する。
図１および図２は、本考案の第１の実施の形態のまな板用すべり止め具を示している。
図１および図２に示すように、まな板用すべり止め具１０は、１対の保持部材１１と連結部材１２とを有している。
【００１４】
図２に示すように、各保持部材１１は、保持板２１と側壁２２とゴム板２３と滑り止め材２４とを有している。保持板２１は、細長く、矩形状を成し、一方の表面に平坦な保持面２５を有している。保持板２１は、両端２１ａ，２１ｂおよび中央２１ｃの保持面２５の反対面２６に、脚部２７を有している。各脚部２７は、一定の高さを有し、保持板２１の幅方向いっぱいに設けられている。各脚部２７は、保持面２５の反対側に設置面２８を有している。保持板２１は、中央２１ｃの脚部２７に、幅方向に貫通した貫通孔２９を有している。
【００１５】
側壁２２は、保持板２１の一方の側縁２１ｄに沿って、保持面２５から垂直に伸びるよう設けられている。側壁２２は、保持板２１の一端２１ａから他端２１ｂまで、一定の高さおよび一定の幅で設けられている。ゴム板２３は、保持面２５と同じ大きさと、側壁２２の高さより薄い厚さとを有している。ゴム板２３は、保持面２５の全面に、側壁２２の高さより低く貼り付けられている。滑り止め材２４は、柔軟性を有する素材から成り、各脚部２７の設置面２８に貼り付けられている。
【００１６】
図１に示すように、連結部材１２は、連結紐３０と調節具３１とを有している。連結紐３０は、両端３０ａ，３０ｂがそれぞれ各保持部材１１の保持板２１の一方の側縁２１ｄ側に位置するよう、各保持部材１１の貫通孔２９を貫通している。連結紐３０は、両端３０ａ，３０ｂに貫通孔２９より大きい結び目３２が形成されている。調節具３１は、連結紐３０を貫通可能な２つの調節孔（図示せず）と固定用ボタン（図示せず）とを有している。調節具３１は、連結紐３０の一端３０ａに、各調節孔に連結紐３０を貫通して設けられている。調節具３１は、固定用ボタンを押した状態で連結紐３０に沿って移動し、固定用ボタンを離して連結紐３０の任意の位置で固定可能になっている。このように、連結部材１２は、各保持部材１１の間隔を調節してまな板１を各保持部材１１の側壁２２の間に挟んで保持可能に、各保持部材１１を互いに連結している。
【００１７】
次に、作用について説明する。
まな板用すべり止め具１０は、以下のようにして使用される。図１に示すように、まず、各保持部材１１の保持面２５を上にし、保持板２１の他方の側縁２１ｅ同士を向き合わせて、調理台などに置く。連結部材１２により各保持部材１１の間隔を調節して、まな板１を各保持部材１１の側壁２２の間に挟む。このとき、まな板１が保持面２５に貼り付けられたゴム板２３により支持されるため、まな板１がすべるのを防ぐことができる。また、保持面２５の反対側の設置面２８に設けられた滑り止め材２４により、各保持部材１１が調理台などの上ですべるのを防ぐことができる。こうして、まな板１をすべらないよう保持することができる。
【００１８】
連結部材１２により、まな板１の大きさに合わせて各保持部材１１の間隔を調節することができ、さまざまな大きさのまな板１に使用することができる。また、使用しないときには、各保持部材１１と連結部材１２とをまとめてコンパクトにし、収納を容易にすることができる。
【００１９】
図３乃至図５は、本考案の第２の実施の形態のまな板用すべり止め具を示している。
図３に示すように、まな板用すべり止め具５０は、１対の保持部材５１と連結部材５２と１対の調節部材５３とを有している。
【００２０】
図４に示すように、各保持部材５１は、保持板６１と側壁６２とゴム板６３と第１滑り止め材６４とを有している。保持板６１は、細長く、ほぼ矩形状を成し、一方の表面に平坦な保持面６５を有している。保持板６１は、一端６１ａの一方の縁部６１ｂ側の隅が直角形状を成し、一端６１ａの他方の縁部６１ｃ側の隅が円弧状を成している。保持板６１は、他方の縁部６１ｃの保持面６５の反対面６６側で、他端６１ｄから幅の長さだけ間隔を開けた中央寄りの位置に、取付部６７を有している。取付部６７は、保持板６１の長さ方向に対して垂直に、保持板６１の幅と同じ幅および長さで突出して設けられている。取付部６７は、保持板６１の一端６１ａ側の隅が円弧状を成し、中央に取付孔６８を有している。
【００２１】
保持板６１は、他端６１ｄおよび中央６１ｅの保持面６５の反対面６６に、一定の高さの脚部６９を有している。他端６１ｄの脚部６９は、保持板６１の他端６１ｄから取付部６７にかけて設けられている。中央６１ｅの脚部６９は、保持板６１の幅の２倍の長さを有し、保持板６１の幅方向いっぱいに設けられている。各脚部６９は、保持面６５の反対側に設置面７０を有している。
【００２２】
側壁６２は、保持板６１の一方の側縁６１ｂに沿って、保持面６５から垂直に伸びるよう設けられている。側壁６２は、保持板６１の一端６１ａから他端６１ｄまで、一定の高さおよび一定の幅で設けられている。ゴム板６３は、保持面６５と同じ大きさと、側壁６２の高さより薄い厚さとを有している。ゴム板６３は、保持面６５の全面に、側壁６２の高さより低く貼り付けられている。第１滑り止め材６４は、柔軟性を有する素材から成り、各脚部６９の設置面７０に貼り付けられている。
【００２３】
図５に示すように、連結部材５２は、細長い板状で、保持板６１と同じ幅と、保持板６１の長さより保持板６１の幅の長さ分だけ短い長さとを有している。連結部材５２は、両端５２ａ，５２ｂが半円状を成し、その半円の中心に接続孔７１を有している。連結部材５２は、中央５２ｃが上面５２ｄ側で薄く形成され、両端５２ａ，５２ｂが底面５２ｅ側で薄く形成されている。連結部材５２は、両端５２ａ，５２ｂの底面５２ｅに第１滑り止め材６４と同じ材質の連結部材用滑り止め材６４ａが貼り付けられている。
【００２４】
図３に示すように、連結部材５２は、両端５２ａ，５２ｂの接続孔７１をそれぞれ各保持部材５１の取付部６７の取付孔６８に合わせ、取付ピン７２を接続孔７１と取付孔６８とに貫通させて、各保持部材５１を互いに連結している。連結部材５２は、底面５２ｅが各脚部６９の設置面７０と同一平面上にあるよう設けられている。これにより、連結部材５２は、保持板６１の他方の側縁６１ｃ同士が向き合った各保持部材５１の互いに対角に位置する他方の端部同士を連結し、各保持部材５１と同一平面内で回転可能になっている。また、連結部材５２は、各保持部材５１の間隔を調節してまな板２，３を各保持部材５１の側壁６２の間に挟んで保持可能になっている。
【００２５】
図４に示すように、各調節部材５３は、調節板７３と１対の第２滑り止め材７４とを有している。調節板７３は、矩形状で、保持板６１と同じ厚さと幅と、保持板６１の幅の２倍の長さとを有している。調節板７３は、一方の表面に平坦な載置面７５を有している。調節板７３は、載置面７５の反対面７６側で、一端側の一方の縁部に回転取付部７７を有している。回転取付部７７は、調節板７３の長さ方向に対して垂直に、調節板７３の幅と同じ幅および長さで突出して設けられている。
【００２６】
図３および図４に示すように、調節板７３は、保持板６１の他方の側縁６１ｃ同士が向き合った各保持部材５１の互いに対角に位置する一方の端部に設けられている。調節板７３は、載置面７５の反対面７６が各脚部６９の設置面７０と同一平面上にあるよう設けられている。調節板７３は、回転取付部７７が保持板６１の保持面６５の反対面６６に回転可能に取り付けられている。調節板７３は、図３（ａ）に示すように、載置面７５が保持面６５の長さ方向の延長面を形成するよう保持板６１の一端６１ａから保持板６１の他方の側縁６１ｃ側に保持板６１に対して垂直に張り出す位置と、図３（ｂ）に示すように、載置面７５が保持板６１の他方の側縁６１ｃ側で保持面６５の幅方向の延長面を形成するよう保持板６１と平行に並ぶ位置との間で、載置面７５が保持面６５と同一平面内で回転するよう設けられている。
各第２滑り止め材７４は、第１滑り止め材６４と同じ素材から成り、載置面７５とその反対面７６の調節板７３とに貼り付けられている。
【００２７】
次に、作用について説明する。
まな板用すべり止め具５０は、以下のようにして使用される。図３（ａ）および（ｂ）に示すように、まず、各保持部材５１の保持面６５を上にして、調理台などに置く。各保持部材５１の間隔を調節して、まな板２，３を各保持部材５１の側壁６２の間に挟む。このとき、まな板２，３が保持面６５に貼り付けられたゴム板６３および載置面７５に設けられた第２滑り止め材７４により支持されるため、まな板２，３がすべるのを防ぐことができる。また、保持面６５の反対側の設置面７０に設けられた第１滑り止め材６４、連結部材５２の底面５２ｅに貼り付けられた連結部材用滑り止め材６４ａ、および載置面７５の反対面７６に設けられた各第２滑り止め材７４により、各保持部材５１が調理台などの上ですべるのを防ぐことができる。こうして、まな板２，３をすべらないよう保持することができる。
【００２８】
まな板２が大きいとき、図３（ａ）に示すように、各調節部材５３を、保持板６１の一端６１ａから保持板６１の他方の側縁６１ｃ側に保持板６１に対して垂直に張り出す位置に位置付けることにより、載置面７５が保持面６５の長さ方向の延長面を形成するため、載置面７５および保持面６５によりまな板２を安定した状態で支持することができる。まな板３が小さいときには、図３（ｂ）に示すように、各調節部材５３を、保持板６１と平行に並ぶ位置に回転させて位置付けることにより、載置面７５が保持板６１の他方の側縁６１ｃ側で保持面６５の幅方向の延長面を形成し、調理時に邪魔にならないようまな板２からはみ出すことなくまな板２を支持することができる。
【００２９】
各保持部材５１に対して連結部材５２を各保持部材５１と同一平面内で回転させることにより、各保持部材５１の間隔を調節することができるため、さまざまな大きさのまな板２，３に対応することができる。使用しないときには、図３（ｃ）に示すように、各調節部材５３を、保持板６１の一端６１ａから保持板６１の他方の側縁６１ｃ側に保持板６１に対して垂直に張り出す位置に回転させて位置付け、各保持部材５１の間隔を狭めて各保持部材５１の間に連結部材５２を挟むことにより、コンパクトにして収納を容易にすることができる。
【図面の簡単な説明】
【００３０】
【図１】本考案の第１の実施の形態のまな板用すべり止め具の使用状態を示す平面図である。
【図２】図１に示すまな板用すべり止め具の保持部材を示す（ａ）平面図、（ｂ）正面図、（ｃ）右側面図である。
【図３】本考案の第２の実施の形態のまな板用すべり止め具の（ａ）まな板が大きいときの使用状態を示す平面図、（ｂ）まな板が小さいときの使用状態を示す平面図、（ｃ）未使用時のコンパクトにした状態を示す平面図である。
【図４】図３に示すまな板用すべり止め具の保持部材および調節部材を示す（ａ）平面図、（ｂ）正面図、（ｃ）右側面図、（ｄ）底面図である。
【図５】図３に示すまな板用すべり止め具の連結部材を示す（ａ）平面図、（ｂ）正面図である。
【符号の説明】
【００３１】
１    まな板
１０  まな板用すべり止め具
１１  保持部材
１２  連結部材
２１  保持板
２２  側壁
２３  ゴム板
２４  滑り止め材
２５  保持面
２６  反対面
２７  脚部
２８  設置面
２９  貫通孔
３０  連結紐
３１  調節具
【図１】
0003111726.tif 000003
【図２】
0003111726.tif 000004
【図３】
0003111726.tif 000005
【図４】
0003111726.tif 000006
【図５】
0003111726.tif 000007